(57)【要約】治療用メリヤス品及びこのメリヤス品を円型編機で製造する方法。治療用メリヤス品は、第１編列（１）を備え、第１編列（１）がこの第１編列（１）を構成する多数の編目よりも小さい多数の編目で作られた第２編列（２）と交互をなす。第１編列（１）は少なくとも１つの弾性加工糸（１ａ）からなり、第２編列（２）は少なくとも１つの弾性加工糸（２ａ）からなり、弾性加工糸（２ａ）は第１編列（１）を構成する少なくとも１つの弾性加工糸（１ａ）よりも大きな直径を有する。治療用メリヤス品は優雅なメリヤス品と同様に美的であり、そして、如何なる機会にあっても問題無く着用可能である。
2007500795.tif 000002
【特許請求の範囲】
【請求項１】
第１編列（１）を含み、前記第１編列（１）が前記第１編列（１）を構成する多数の編目よりも小さい多数の編目で作られた第２編列と交互をなし、前記第１編列（１）が少なくとも１つの伸縮加工糸（１ａ）からなり、前記第２編列（２）が少なくとも１つの伸縮加工糸（２ａ）からなり、前記伸縮加工糸（２ａ）が前記第１編列（１）の少なくとも１つの伸縮加工糸（１ａ）よりも大きな直径を有することを特徴とする治療用メリヤス品。
【請求項２】
前記第２編列（２）の編目は互いに整列されて、ゴム編みを作ることを特徴とする請求項１に記載の治療用メリヤス品。
【請求項３】
前記第２編列（２）は少なくとも１つの被覆弾性糸（２ａ）からなることを特徴とする請求項１に記載の治療用メリヤス品。
【請求項４】
前記第２編列（２）は二重被覆弾性糸（２ａ）からなることを特徴とする請求項１〜３の少なくとも１つに記載の治療用メリヤス品。
【請求項５】
前記第２編列（２）における前記弾性糸（２ａ）の番手は実質的に７８〜８００denの間にあることを特徴とする請求項１〜４の少なくとも１つに記載の治療用メリヤス品。
【請求項６】
前記第２編列（２）における前記弾性糸（２ａ）の被覆糸の番手は、実質的に８〜１１０denの間にあることを特徴とする請求項１〜５の少なくとも１つに記載の治療用メリヤス品。
【請求項７】
前記第２編列（２）の前記弾性糸（２ａ）を被覆する糸は天然又はポリアミド繊維からなることを特徴とする請求項１〜６の少なくとも１つに記載の治療用メリヤス品。
【請求項８】
前記第１編列（１）は少なくとも１つの被覆弾性糸（１ａ）からなることを特徴とする請求項１〜７の少なくとも１つに記載の治療用メリヤス品。
【請求項９】
前記第１編列（１）は二重の被覆弾性糸（１ａ）からなることを特徴とする請求項１〜８の少なくとも１つに記載の治療用メリヤス品。
【請求項１０】
前記第１編列（１）は少なくとも１つの被覆弾性糸（１ａ）からなり、前記被覆弾性糸（１ａ）が別の糸（１ｂ）と添え編みされていることを特徴とする請求項１〜９の少なくとも１つに記載の治療用メリヤス品。
【請求項１１】
前記第１編列（１）はポリアミド又は天然繊維からなる糸により構成されていることを特徴とする請求項１〜１０の少なくとも１つに記載の治療用メリヤス品。
【請求項１２】
前記第１編列（１）を構成する前記別の糸の番手は実質的に８〜１５０denの間にあることを特徴とする請求項１０又は１１に記載の治療用メリヤス品。
【請求項１３】
前記第１編列（１）の弾性糸（１ａ）の番手は実質的に１０〜２８０denの間にあることを特徴とする請求項１〜１２の少なくとも１つに記載の治療用メリヤス品。
【請求項１４】
前記第１編列（１）の弾性糸（１ａ）を被覆するための糸の番手は実質的に５〜８５denの間にあることを特徴とする請求項１〜１３の少なくとも１つに記載の治療用メリヤス品。
【請求項１５】
前記第１編列（１）の弾性糸（１ａ）の被覆糸は天然又はポリアミド繊維からなることを特徴とする請求項１〜１４の少なくとも１つに記載の治療用メリヤス品。
【請求項１６】
ユーザの脚に対して実質的に１８〜６０mmHgの圧縮度を有することを特徴とする請求項１〜１５の少なくとも１つに記載の治療用メリヤス品。
【請求項１７】
第１編列（１）と、この第１編列（１）を構成する多数の編目よりも小さな多数の編目により提供された第２編列（２）とを交互にし、前記第１編列（１）が少なくとも１つの伸縮加工糸（１ａ）によって提供され、前記第２編列（２）が少なくとも１つの伸縮加工糸（２ａ）によって提供され、前記伸縮加工糸（２ａ）が前記第１編列（１）を提供するために使用された少なくとも１つの糸（１ａ）よりも大きな直径を有することを特徴とする、円型編機で治療用メリヤス品を製造する方法。
【請求項１８】
種々の第２編列（２）内にて同一の針を介して前記第２編列（２）の編目を提供し、ゴム編みを形成することを特徴とする請求項１７に記載の方法。
【請求項１９】
少なくとも１つの被覆弾性糸（２ａ）により前記第２編列（２）を提供することを特徴とする請求項１７に記載の方法。
【請求項２０】
二重被覆の弾性糸（２ａ）により前記第２編列（２）を提供することを特徴とする請求項１７〜１９の少なくとも１つに記載の方法。
【請求項２１】
前記第２編列（２）を提供するために使用された弾性糸（２ａ）の番手は実質的に７８〜８００denの間にあることを特徴とする請求項１７〜２０の少なくとも１つに記載の方法。
【請求項２２】
前記第２編列（２）を提供するために使用された弾性糸（２ａ）の被覆糸の番手は実質的に８〜１１０denの間にあることを特徴とする請求項１７〜２１の少なくとも１つに記載の方法。
【請求項２３】
前記第２編列（２）を提供するために使用された弾性糸（２ａ）の被覆糸は天然又はポリアミド繊維からなることを特徴とする請求項１７〜２２の少なくとも１つに記載の方法。
【請求項２４】
少なくとも１つの被覆弾性糸（１ａ）により前記第１編列（１）を提供することを特徴とする請求項１７〜２３の少なくとも１つに記載の方法。
【請求項２５】
二重の被覆弾性糸（１ａ）により前記第１編列（１）を提供することを特徴とする請求項１７〜２４の少なくとも１つに記載の方法。
【請求項２６】
別の糸（１ｂ）が添え編みされた少なくとも１つの被覆弾性糸（１ａ）により前記第１編列（１）を提供することを特徴とする請求項１７〜２５の少なくとも１つに記載の方法。
【請求項２７】
前記第１編列（１）を形成するために使用される前記別の糸（１ｂ）をポリアミド又は天然繊維から製造することを特徴とする請求項１７〜２６の少なくとも１つに記載の方法。
【請求項２８】
前記第１編列（１）の形成に使用される前記別の糸（１ｂ）の番手が実質的に８〜１５０denの間にあることを特徴とする請求項１７〜２７の少なくとも１つに記載の方法。
【請求項２９】
前記第１編列（１）を提供するために使用される弾性糸（１ａ）の番手が実質的に１０〜２８０denの間にあることを特徴とする請求項１７〜２８の少なくとも１つに記載の方法。
【請求項３０】
前記第１編列（１）を提供するために使用される弾性糸（１ａ）を被覆するための糸の番手が実質的に５〜８５denの間にあることを特徴とする請求項１７〜２９の少なくとも１つに記載の方法。
【請求項３１】
前記第１編列（１）を提供するために使用される弾性糸（１ａ）の被覆糸がポリアミド又は天然の繊維からあることを特徴とする請求項１７〜３０の少なくとも１つに記載の方法。
【請求項３２】
治療用メリヤス品を製造するための機械を提供し、前記機械が多重のフィードを備えた円型編機であり、前記第１編列（１）がニードルシリンダの軸線回りのフィード又はドロップの配列において、前記第２編列（２）を形成するために使用されるフィード又はドロップを備え、交互のフィード又はドロップにて形成されることを特徴とする請求項１７〜３１の少なくとも１つに記載の方法。
【請求項３３】
治療用メリヤス品を製造するための機械を提供し、前記機械が４つのフィード又ドロップを備えた円型編機であり、ニードルシリンダの軸線回りの回転の方向に依存して、前記第１編列（１）が第２ドロップ及び第４ドロップ、又は、第１ドロップ及び第３ドロップを使用して形成され、前記第２編列（２）が第１ドロップ及び第３ドロップ又は第２ドロップ及び第４ドロップを使用して形成されることを特徴とする請求項１７〜３２の少なくとも１つに記載の方法。
【請求項３４】
前記編機のニードルシリンダの全ての針が前記第２ドロップ及び前記第４ドロップにて編成し、前記編機のニードルシリンダの針の一部のみが所定のニードルセレクションに従いニードルシリンダの周方向延長部に沿って不均一に分布され、前記第１ドロップ及び前記第３ドロップにて編成するために移動され、これに対し、編成しない針は前記第１ドロップ及び第３ドロップにて、それらの嘴がシンカーの下方にある状態で、それらの嘴内に以前のドロップにて形成された編みの最後のループを保持し、この最後のループを次のドロップにて新たなループと編み込むことを特徴とする請求項３２又は３３に記載の方法。
【発明の詳細な説明】
【技術分野】
【０００１】
本発明は、治療用メリヤス品及びこのメリヤス品を円型編機で製造する方法に関する。
【背景技術】
【０００２】
公知のように、治療用メリヤス品は、ユーザの下肢に治療効果を提供するために、投薬的且つ随意的な局所抑制作用を付与するものとして構成された特別なメリヤス品である。
この理由のため、これらメリヤス品は、意図した治療効果の達成を狙う編み加工ではあるものの、美的効果に関しては考慮されていない状況にて、随意的に予張力が付加された伸縮加工糸を主として使用して製造されている。現在、市販の治療用メリヤス品は一般的に円型編機により製造され、この円型編機はレイドイン(laid-in) 編みの形成と交互の１：１編成を使用する。
【０００３】
この特別な製造方法は治療用メリヤス品、特に婦人用ストッキングの場合、他のメリヤス品とは美的に非常に異なるものにしている。
この理由から、現在、市販の治療用メリヤス品は、他のメリヤス品の優雅さや柔らかさを達成することができないので、一般的にユーザ、特に女性ユーザに好適なものとは見なされていない。
【０００４】
更にまた、現在市販の治療用メリヤス品の特別な製造方法は、踵及び／又は爪先領域を製造するために、その軸線回りのニードルシリンダの回転動作を交互に要求し、比較的長い製造時間、従って比較的高い製造コストをもたらす。
【発明の開示】
【０００５】
本発明の意図は、優雅なメリヤス品の様式に見合った様式で製造された治療用メリヤス品を提供し、上述の課題を解決することにある。
この意図のうち、本発明の目的は、その治療機能を十分に提供してなお優れた美的効果を有する治療用メリヤス品を提供することにある
本発明の他の目的は、競争コストにて製造可能な治療用メリヤス品を提供することにある。
【０００６】
本発明の他の目的は、発明の治療用メリヤス品を円型編機で製造する方法を提供することにある。
後により明らかとなるが、上記意図及び目的は治療用メリヤス品により達成され、この治療用メリヤス品は、第１編列を備え、第１編列がこの第１編列を構成する多数の編目によりも小さい多数の編目を備えた第２編列と交互となり、第１編列が少なくとも１つの弾性加工糸からなり、第２編列が少なくとも１つの弾性加工糸からなり、この弾性加工糸が第１編列の少なくとも１つの弾性加工糸よりも大きな直径を有することに特徴付けられる。
【０００７】
好ましくは、本発明の治療用メリヤス品は、円型編機で治療用メリヤス品を製造する方法により製造され、第１編列とこの第１編列を構成する多数の編目よりも小さい多数の編目で形成された第２編列とを交互にし、第１編列が少なくとも１つの弾性加工糸により作られ、第２編列が少なくとも１つの弾性加工糸により作られ、この少なくとも１つの弾性加工糸が第１編列を作るために使用される少なくとも１つの糸よりも大きな直径を有することに特徴付けられる。
【０００８】
本発明の更なる特徴及び利点は好適な記述からより明らかになるが、本発明は、添付図面に一例として図示された治療用メリヤス品及びこのメリヤス品を製造する方法の実施例に限定されるものではない。
【発明の実施態様】
【０００９】
図を参照すれば、発明の治療用メリヤス品目は第１編列１を含み、この第１編列１は第２編列２と交互に設けられている。第２編列２は多数の編目からなり、この編目は第１編列を構成する多数の編目よりも小さい。第１編列１は、少なくとも１つの弾性加工糸１ａからなり、第２編列２は少なくとも１つの弾性加工糸２ａからなる。弾性加工糸２ａは第１編列１における少なくとも１つの弾性加工糸１ａの直径、即ち、その番手（count）に対して、大きな直径、つまり、大きな番手、即ち、デニールを有する。
【００１０】
通常、第１編列１の編目よりも数が少ない第２編列２の編目は、後により明らかとなるように、相互に整列されてゴム編みを形成する。
第２編目列２の少なくとも１つの糸２ａは、被覆された弾性体（例えば、エラスタン(Elastane)）、好ましくは、二重被覆された弾性糸からなる。
より詳しくは、糸２ａにおいて、その弾性糸は所定の番手、好ましくは、好ましくは７８〜８００denのデニールを有し、この糸の被覆に使用された１本又は複数の糸は天然又はポリアミド繊維からなり、好ましくは８〜１１０denの番手を有する。
【００１１】
第１編列１は少なくとも１つの被覆弾性糸（例えば、エラスタン）、好ましくは、二重被覆弾性体からなる糸１ａからなり、糸１ａは別の糸１ｂと添え編み(plate-Knitted)されていてもよい。好ましくは、別の１ｂは、ポリアミド繊維又は天然繊維からなる糸であって、８〜１５０denの番手を有する。
より詳しくは、糸１ａにおいて、弾性糸は好ましくは１０〜２８０denの番手を有し、この弾性糸を被覆する１本又は複数の糸は天然又はポリアミド繊維からなり、好ましくは５〜８５denの番手を有する。
【００１２】
発明の治療用メリヤス品は、ポップストック(pop stock)、ホールドアップストッキング、サスペンダベルトとともに着用される通常のストッキング、又は、パンティストッキングの形態にて提供され、上記に詳細に記載された特別な編成は、治療用メリヤス品の要求及びタイプに応じて、実質的にメリヤス品の全体に沿って備えられているか、又は、所定の領域に制限されている。
【００１３】
如何なる場合にも、上述の編成は治療用メリヤス品を得ることを可能にし、治療用メリヤス品は通常の優雅なメリヤス品と美的に非常に似たものである。
好ましくは、発明のメリヤス品で得ることができるユーザの脚や、又、メリヤス品が適用される部位への圧縮度は１８〜６０mmHgである。
発明の治療用メリヤス品を製造する方法は実質的に、第１編列１と第２編列２とを交互に提供することからなり、第２編列２は多数の編目を備え、これら編目は第１編列を構成する多数の編目よりも小さい。第１編列１は少なくとも１つの弾性加工糸１ａによって提供され、第１編列２は少なくとも１つの弾性加工糸２ａによって提供される。弾性加工糸２ａは第１編列１の製造に使用される少なくとも１つの弾性加工糸１ａの直径、即ち、番手よりも大きな直径、即ち、大きな番手を有する。
【００１４】
第２編列２の編目は種々の第２編列２のための同一の針により提供され、従って、ゴム編みを得る。
多重フィード円型編機においては、ニードルシリンダの軸線回りにおけるフィード(feeds)又はドロップ(drops)の配列において、第２編列２を形成するために使用されるフィード又はドロップを備え、第１編列１は交互のフィード及びドロップにて形成することができる。
【００１５】
フィード又はドロップを備えたメリヤス品の円型編機において、その軸線回りのニードルシリンダの回転方向に沿い、第１編列１は第２ドロップ及び第４ドロップを使用して形成され、これに対し、第２編列２は第１及び第３ドロップを使用して形成される。明らかに、発明における治療用メリヤス品の特別な編成は、第１ドロップ及び第２ドロップを使用して第１編列を形成し、そして、第２及び第４ドロップを使用して第２編列を形成することでも得ることができる。
【００１６】
第１の場合、好ましくは、本発明の治療用メリヤス品を提供する特別な編成は、第２ドロップ及び第４ドロップにて、編機のニードルシリンダの全ての針が平編みを形成することにより実行され、一方、第１ドロップ及び第３ドロップにて、編機におけるニードルシリンダの針の幾つかのみが所定のニードルセレクション、例えば、１：１，２：１，３：１，１：３，１：２のセレクション等に従い、ニードルシリンダの周方向の延長部に沿って不均一の分布されて、編成をなす。実際上、ニードルシリンダは理想的には、その軸線回りに連続して配置されたセクタに分割されており、各セクタは２個以上の針を含み、且つ、第１ドロップ及び第３ドロップにて、種々のグループの針の幾つかのみを作動位置に移動させ、これら針はニードルシリンダの軸線回りに均一に離間し、１：１，２：１，３：１，１：２等として公知のニードルセレクションを備えている。
【００１７】
編成に供されない針は、第１及び第３ドロップにて通過し、前記ドロップにて、編機のシンカーにより形成されたノックオーバ面の下方に嘴を備え、各針は前のドロップにて形成された編みの最後のループを保持する。最後のループはドロップにて形成された編みの新たなループと編み込まれ、そのドロップは編成のために針が移動される位置に追従する。
【００１８】
実際上、特に添付図に示された編みに関し、少なくとも１つの伸縮加工糸、図示の場合には被覆弾性体（例えばエラスタン）からなる糸２ａが第１及び第３ドロップにて分配される。第１及び第３ドロップにて分配された少なくとも１つの糸２ａよりも直径が小さい少なくとも１つ糸は第２及び第４ドロップにて分配される。好ましくは、被覆と弾性体（例えばエラスタン）からなる糸１ａは第２及び第４ドロップにて分配され、他の糸１ｂとともに添え編みされ、この糸１ｂは天然繊維又はポリアミド繊維からなる糸により構成することができる。
【００１９】
本発明の治療用メリヤス品が製造されることによる特別な編成が、その軸線回りの交互の回転を伴うニードルシリンダの作動で編成するための再区分(resort)を必要とすることなく、メリヤス品の踵及び／又は爪先領域の提供を可能とすることに留意すべきである。
限定されるものではないが単なる例として、４つのフィードを備えた円型編機に関し、本発明の方法の実際的な実行例が以下に記載される。
【実施例】
【００２０】
２８０デニールの番手の被覆エラスタン糸が第１及び第３ドロップにて分配される。ポリアミド繊維又は天然繊維と添え編みされ、且つ、２２デニールの番手の被覆エラスタンからなる糸が第２及び第４ドロップにて分配される。
編機の全ての針は第２及び第４ドロップにて編成をなし、目落ち(drop stitch)及び平編みを作る。
【００２１】
ニードルシリンダの針の半分は、１：１型のニードルセレクションを備え、第１及び第３ドロップにて編成すために移動される。第１及び第３ドロップにて、編成しない針は、それの嘴が編機のシンカーにより形成されたノックオーバ面の下方に、低く維持され、以前のフィードにて分配された糸で形成された編みのループを保持する。第２及び第４ドロップにて、前記針は、他の針とともに編成し、前記フィードにて提供された糸とともに編みの新たなループを形成する。新たなループは、以前に形成されたループと編み込まれ、針から抜き出される。
【００２２】
実際上、本発明の治療用メリヤス品は、治療的な観点でみて現在市販の治療用メリヤス品と同一の結果を得ることができ、しかも、優雅なメリヤス品と比べ、より薄く、また、より透明で美的効果を達成するため、美的な観点からもより利点を備えているので、意図した目的を達成するものであると認められる。
それ故、本発明の治療用メリヤス品は、優雅なメリヤス品のような問題無しに、使用可能となる。
【００２３】
従って、治療用メリヤス品及びその製造方法は添付請求項の範囲にて、種々の変更が可能であり、更に、詳細の全ては技術的に等価な要素と置き換え可能である。
実際上、使用される材料は、特定の使用や次元と合致する限りにおいて、要求及び技術の状態に応じて如何なるものであってもよい。
ここでは、本出願の優先権の基礎であるイタリア特許出願第MI2003A001082号の開示が参照として組込まれる。
【図面の簡単な説明】
【００２４】
【図１】発明の治療用メリヤス品の張力部分を拡大して示した概略図である。
2007500795.tif 000003
【国際調査報告】
2007500795.tif 000004
2007500795.tif 000005
2007500795.tif 000006